(57)【要約】【課題】全体の構造を簡素化して製造コストを低減することができると共に、収納袋の取付作業を迅速かつ簡単に行うことができ、更に、その構造上、使用者の嗜好や使用環境乃至使用状況等に応じて意匠を簡単に変更することができ、各種の意匠的効果を選択的に発揮させることができる入浴剤セットの提供。【解決手段】入浴剤セットは、果実等の入浴剤１０と、収容袋２０と、キャップ部３０と、止着部４０とを備える。収容袋２０に入浴剤１０を収容し、収容袋２０の開口にキャップ部３０の結合部３１を挿入すると共に、結合部３１に止着部４０を装着することにより、入浴剤１０を収容した収容袋２０をキャップ部３０に握持する。【選択図】  図１
2004337315.tif 000002
【特許請求の範囲】
【請求項１】
果実、果皮、薬草、ハーブ等の天然植物材料からなる入浴剤と、
前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、
所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、
前記キャップ部の結合部の外周面に装着自在なリング状の弾性体からなり、内周側を前記キャップ部の結合部の外周面に弾性的に密着して前記キャップ部の結合部の外周面を押圧自在な止着部と
を備えることを特徴とする入浴剤セット。
【請求項２】
果実、果皮、薬草、ハーブ等の天然植物材料からなる入浴剤と、
前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、
所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、
前記キャップ部の結合部の外周面に装着自在なリング状の弾性体からなり、内周側を前記キャップ部の結合部の外周面に弾性的に密着して前記キャップ部の結合部の外周面を押圧自在な止着部とを備え、
前記収容袋の内部に前記入浴剤を収容した状態で前記収容袋の開口に前記キャップ部の結合部を挿入すると共に、前記キャップ部の結合部の外周面において前記収容袋の存在する部位に前記止着部を装着して保持することにより、前記止着部が前記収容袋の開口部分の端縁部を前記キャップ部の結合部の外周面に対して弾性的に押圧して、前記入浴剤を収容した前記収容袋を前記キャップ部に握持するようにしたことを特徴とする入浴剤セット。
【請求項３】
果実、果皮、薬草、ハーブ等の天然植物材料からなる入浴剤と、
前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、
所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、
前記キャップ部の結合部の外周面に装着自在なリング状の弾性体からなり、内周側を前記キャップ部の結合部の外周面に弾性的に密着して前記キャップ部の結合部の外周面を押圧自在な止着部とを備え、
前記収容袋の内部に前記入浴剤を収容した状態で前記収容袋の開口に前記キャップ部の結合部を挿入すると共に、前記キャップ部の結合部の外周面において前記収容袋の存在する部位に前記止着部を装着して保持することにより、前記止着部が前記収容袋の開口部分の端縁部を前記キャップ部の結合部の外周面に対して弾性的に押圧して、前記入浴剤を収容した前記収容袋を前記キャップ部に握持し、前記キャップ部の浮力部により前記入浴剤を収容した収容袋を浴槽の湯中に浮かべたときに、前記入浴剤の重量により前記収容袋が前記キャップ部の結合部から脱落しないよう、前記止着部の弾性的押圧力を設定したことを特徴とする入浴剤セット。
【請求項４】
前記キャップ部の結合部は、ボトルの口部の内径と同一の外径を有し、ボトルの口部に挿入して保持自在であることを特徴とする請求項１乃至３のいずれか１項記載の入浴剤セット。
【請求項５】
果実、果皮、薬草、ハーブ等の天然植物材料からなる入浴剤と、
前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、
前記収容袋の開口部分の端縁部を挟持自在なクリップ状をなす止着部と、
浮力構造を有する浮力部と、
前記浮力部を前記止着部に連結する長尺状の連結具と
を備えることを特徴とする入浴剤セット。
【請求項６】
果実、果皮、薬草、ハーブ等の天然植物材料からなる入浴剤と、
前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、
前記収容袋の開口部分の端縁部を挟持自在なクリップ状をなす止着部と、
浮力構造を有すると共に温度計を一体的に設けた浮力部と、
前記浮力部を前記止着部に連結する長尺状の連結具と
を備えることを特徴とする入浴剤セット。
【請求項７】
前記浮力部は、透光材料からなる中空構造とすることで前記浮力構造を付与されると共に、前記中空構造の内部に発光手段を設けて発光自在であることを特徴とする請求項１乃至５のいずれか１項記載の入浴剤セット。
【請求項８】
前記浮力部は、水よりも比重の小さい樹脂材料から形成することで前記浮力構造を付与されると共に、前記樹脂材料に蓄光材料を含有し、光を蓄積して蛍光発光自在であることを特徴とする請求項１乃至５のいずれか１項記載の入浴剤セット。
【請求項９】
前記浮力部は、感温性樹脂材料から形成され、所定温度で変色することを特徴とする請求項１乃至５のいずれか１項記載の入浴剤セット。
【発明の詳細な説明】
【０００１】
【発明の属する技術分野】
本発明は、果実、果皮、薬草、ハーブ等の天然植物材料からなる入浴剤を、浴槽の湯中に浮かべた状態で使用することができるようにする入浴剤セットに関する。
【０００２】
【従来の技術】
従来、柑橘類の皮、植物或いは薬草類を風呂の中に入れることができる入浴材料収納容器として、例えば、特許文献１に記載の技術がある。
【特許文献１】
特開２０００−１０７０５７号公報
【０００３】
特許文献１には、環状支持体と、この環状支持体に上端部が取付けられ、かつ、柑橘類、植物等の入浴材料を入れることができる収納袋と、前記環状支持体の上端部に取外し可能に取付けられたキャップ機能を有する浮き体とからなる入浴材料収納容器が開示されている。特許文献１に記載の技術は、収納袋の上端部を環状支持体の内周壁に接着層を介して固定し、浮き体を環状支持体の上部に螺着している。即ち、浮き体の空気室形成部に係合周壁部を垂設し、環状支持体の雄ネジ部と螺合する雌ネジ部を、前記係合周壁部に形成している。そして、環状支持体に浮き体を嵌め合わせ、環状支持体と浮き体とをそれぞれ反対方向に回して、環状支持体と浮き体とを一体的に螺着している。なお、収納袋の上端部は、環状支持体の上端部と浮き体の下端部で固定的に挟持してもよい旨の記載もある。この場合、環状支持体の上端部に少なくとも一つ以上の凸係合部を周設し、この凸係合部に係合する凹被係合部を浮き体の係合周壁部の内周壁に形成する。そして、収納袋の上端部を外側に広げて鍔状にし、この鍔部を環状支持体の凸係合部に被せるようにし、かつ、この状態で浮き体を環状支持体に嵌め合わせるにして押圧する。すると、環状支持体の凸係合部と浮き体の凹被係合部とが係合する。その結果、収納袋の上端部は、環状支持体の上端部と浮き体の下端部で固定的に挟持される。
【０００４】
【発明が解決しようとする課題】
しかし、特許文献１に記載の技術は、上記のように、環状支持体や浮き体の構成が複雑で、製造コストの点で改善する余地がある。また、収納袋の上端部を環状支持体の内周壁に接着する場合、収納袋の交換が不可能になる。一方、収納袋の上端部を環状支持体の上端部と浮き体の下端部で固定的に挟持する場合、収納袋の交換は可能になるが、そのための構成が複雑で、収納袋の取付作業（挟持作業）も煩雑となる。更に、特許文献１に記載の技術は、全体が茶筒状をなし、意匠性の点で改善する余地がある。更にまた、特許文献１に記載の技術は、上記のような構成を採用するため、使用者の嗜好や使用環境乃至使用状況等に応じて意匠を変更したい場合でも、その意匠を変更することが困難である。
【０００５】
そこで、本発明は、全体の構造を簡素化して製造コストを低減することができると共に、収納袋の取付作業を迅速かつ簡単に行うことができ、更に、その構造上、使用者の嗜好や使用環境乃至使用状況等に応じて意匠を簡単に変更することができ、各種の意匠的効果を選択的に発揮させることができる入浴剤セットの提供を課題とする。
【０００６】
【課題を解決するための手段】
請求項１に係る入浴剤セットは、果実、果皮、薬草、ハーブ等の天然植物材料からなる入浴剤と、前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、前記キャップ部の結合部の外周面に装着自在なリング状の弾性体からなり、内周側を前記キャップ部の結合部の外周面に弾性的に密着して前記キャップ部の結合部の外周面を押圧自在な止着部とを備える。
【０００７】
請求項２に係る入浴剤セットは、果実、果皮、薬草、ハーブ等の天然植物材料からなる入浴剤と、前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、前記キャップ部の結合部の外周面に装着自在なリング状の弾性体からなり、内周側を前記キャップ部の結合部の外周面に弾性的に密着して前記キャップ部の結合部の外周面を押圧自在な止着部とを備え、前記収容袋の内部に前記入浴剤を収容した状態で前記収容袋の開口に前記キャップ部の結合部を挿入すると共に、前記キャップ部の結合部の外周面において前記収容袋の存在する部位に前記止着部を装着して保持することにより、前記止着部が前記収容袋の開口部分の端縁部を前記キャップ部の結合部の外周面に対して弾性的に押圧して、前記入浴剤を収容した前記収容袋を前記キャップ部に握持するようにした。
【０００８】
請求項３に係る入浴剤セットは、果実、果皮、薬草、ハーブ等の天然植物材料からなる入浴剤と、前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、所定直径の円筒状または円柱状をなすと共に前記収容袋の開口に挿入自在な結合部と、前記結合部の上端に一体的に設けられると共に浮力構造を有する浮力部とを有し、全体としてボトルキャップ状をなすキャップ部と、前記キャップ部の結合部の外周面に装着自在なリング状の弾性体からなり、内周側を前記キャップ部の結合部の外周面に弾性的に密着して前記キャップ部の結合部の外周面を押圧自在な止着部とを備え、前記収容袋の内部に前記入浴剤を収容した状態で前記収容袋の開口に前記キャップ部の結合部を挿入すると共に、前記キャップ部の結合部の外周面において前記収容袋の存在する部位に前記止着部を装着して保持することにより、前記止着部が前記収容袋の開口部分の端縁部を前記キャップ部の結合部の外周面に対して弾性的に押圧して、前記入浴剤を収容した前記収容袋を前記キャップ部に握持し、前記キャップ部の浮力部により前記入浴剤を収容した収容袋を浴槽の湯中に浮かべたときに、前記入浴剤の重量により前記収容袋が前記キャップ部の結合部から脱落しないよう、前記止着部の弾性的押圧力を設定した。
【０００９】
請求項４に係る入浴剤セットは、請求項１乃至３のいずれかの構成において、前記キャップ部の結合部が、ボトルの口部の内径と同一の外径を有し、ボトルの口部に挿入して保持自在である。
【００１０】
請求項５に係る入浴剤セットは、果実、果皮、薬草、ハーブ等の天然植物材料からなる入浴剤と、前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、前記収容袋の開口部分の端縁部を挟持自在なクリップ状をなす止着部と、浮力構造を有する浮力部と、前記浮力部を前記止着部に連結する長尺状の連結具とを備える。
【００１１】
請求項６に係る入浴剤セットは、果実、果皮、薬草、ハーブ等の天然植物材料からなる入浴剤と、前記入浴剤を収容し、かつ、前記入浴剤からの抽出液の外部への進出を自在とすると共に、前記入浴剤の固形分の漏出を防止自在なシート材料からなり、上端を開口した袋状をなす収容袋と、前記収容袋の開口部分の端縁部を挟持自在なクリップ状をなす止着部と、浮力構造を有すると共に温度計を一体的に設けた浮力部と、前記浮力部を前記止着部に連結する長尺状の連結具とを備える。
【００１２】
請求項７に係る入浴剤セットは、請求項１乃至５のいずれかの構成において、前記浮力部が、透光材料からなる中空構造とすることで前記浮力構造を付与されると共に、前記中空構造の内部に発光手段を設けて発光自在である。
【００１３】
請求項８に係る入浴剤セットは、請求項１乃至５のいずれかの構成において、前記浮力部が、水よりも比重の小さい樹脂材料から形成することで前記浮力構造を付与されると共に、前記樹脂材料に蓄光材料を含有し、光を蓄積して蛍光発光自在である。
【００１４】
請求項９に係る入浴剤セットは、請求項１乃至５のいずれかの構成において、前記浮力部が、感温性樹脂材料から形成され、所定温度で変色する。
【００１５】
【発明の実施の形態】
以下、本発明の実施の形態を説明する。なお、各実施の形態を通じ、同一の部材、要素または部分には同一の符号を付して、その説明を省略する。
【００１６】
実施の形態１
図１は本発明の実施の形態１に係る入浴剤セットを浴槽の湯中に浮かべた状態を示す説明図である。図２は本発明の実施の形態１に係る入浴剤セットの収容袋を示す正面図である。図３は本発明の実施の形態１に係る入浴剤セットのキャップ部を示す正面図である。図４は本発明の実施の形態１に係る入浴剤セットの止着部を示す正面図である。
実施の形態１に係る入浴剤セットは、図１に示すように、入浴剤１０と、収容袋２０と、キャップ部３０と、止着部４０を備え、入浴剤１０を浴槽の湯Ｗ中に浮かべた状態で使用するものである。詳細には、入浴剤１０は、果実、果皮、薬草、ハーブ等の天然植物材料からなる。実施の形態１に係る入浴剤セットは、入浴剤１０として、柑橘類等の果実や薬効植物等を丸ごと使用する。即ち、入浴剤１０としては、伊予柑、金柑、三宝柑、ザボン（文旦、ボンタンとも言う）、デコポン、夏蜜柑、八朔、ポンカン、蜜柑、柚子、レモン等の柑橘類や、生姜、菖蒲、どくだみ等の薬用植物及びにんにく等の強壮剤効果の有る植物（本明細書中において「薬用植物」という）等の植物が使用される。
【００１７】
図２に示すように、収容袋２０は、前記入浴剤を収容し、かつ、前記入浴剤からの抽出液の外部への進出を自在とすると共に、前記入浴剤の固形分の漏出を防止自在なシート材料からなり、上端を開口したネット状またはメッシュ状の袋状をなす。具体的には、収容袋２０は、上端を開口した略長方形袋状をなし、例えば、縦（高さ）２０ｃｍ、横（幅）１０ｃｍの四角袋状に形成される。ここで、収容袋２０は、内部に収容した果実等の入浴剤１０を使用者が手により揉み解して、そのエキス分を浴槽の湯Ｗ中に進出させるものであるため、収容袋２０の素材としては、もみ応えがあり、滑らかな触感及び風合いのものを使用することが好ましい。同様の理由で、収容袋２０の素材としては、強度が高く、柔軟性、可撓性のあるものを使用することが好ましい。かかる収容袋２０としては、例えば、ナイロンストッキング等のストッキング素材と同様の素材、ポリエチレン素材やＰＥＴ（ポリエチレンテレフタレート）素材等を織加工したもの、または、不織布としたものを使用することができる。更に、収容袋２０の素材としては、ＰＥＴ等、リサイクル可能な素材を使用することが一層好ましい。こうすると、収容袋２０自体をリサイクル商品として流通させることができる。なお、収容袋２０の素材を紙素材とすることも可能である。
【００１８】
収容袋２０は、上記素材を上下に延びると共に上下両端を開口した筒状に形成した後、上下両端の開口のうちの一方（下端開口）を閉塞して閉塞端部２１とし、他方（上端開口）を開口部２２とすることにより製造することができる。また、収容袋２０の上端部（開口部２２の直下部分）には、開口部２２に沿って左右に延びる帯状の弾性体からなる口絞り部２３が一体的に設けられ、通常状態で、口絞り部２３により開口部２２の幅を閉塞端部２１の幅より狭くするようになっている。
【００１９】
図３に示すように、キャップ部３０は、結合部３１と浮力部３２とを有する。結合部３１は、所定直径の円筒状または円柱状をなすと共に前記収容袋２０の開口部２２に挿入自在となっている。結合部３１は、その軸方向に所定間隔または一定間隔を置いて、複数のフランジ状または円環状の滑止段部３１ａを一体形成している。実施の形態１では、滑止段部３１ａは、結合部３１の軸方向に一定間隔（例えば、５ｍｍ間隔または１ｃｍ間隔）で４個形成されている。浮力部３２は、結合部３１の上端に一体的に設けられると共に浮力構造を有する。浮力部３２は、例えば、浮力部３２を中空構造として内部に所定容積の密閉空間を形成したり、浮力部３２を水より比重の小さい材料により形成したりすることで、浮力構造とすることができる。実施の形態１では、キャップ部３０の浮力部３２は、ヨットの外観形状を有している。なお、浮力部３２は、浮力構造を有する限りにおいて、任意の形状とすることができるが、ヨット、イルカ、ラッコ、亀等、海を連想させるものの形状とすることができる。或いは、浮力部３２は、犬や猫等のペット等、使用者にとって愛着の沸くものを連想させるものの形状とすることもできる。或いは、浮力部３２は、子供の出生記念や会社の創立記念等におけるイヤープレート状の形状とし、記念品として子孫代々に伝えるようにすることも可能である。前記結合部３１と浮力部３２との間には、円盤状の仕切部３３が一体的に介在して設けられている。これにより、キャップ部３０は、結合部３１と浮力部３２とで、全体としてボトルキャップ状またはボトルストッパ状の形状をなす。
【００２０】
ここで、結合部３１、浮力部３２及び仕切部３３を全て別体で形成した後、それらを接着等により接合して一体化することによりキャップ部３０を形成してもよい。或いは、浮力部３２と仕切部３３とを一体成形すると共に、結合部３１を別体で形成し、一体成形した浮力部３２及び仕切部３３に結合部３１を接着等により接合して一体化することによりキャップ部３０を形成してもよい。或いは、結合部３１と仕切部３３とを一体成形すると共に、浮力部３２を別体で形成し、一体成形した結合部３１及び仕切部３３に浮力部３２を接着等により接合して一体化することによりキャップ部３０を形成してもよい。或いは、結合部３１、浮力部３２及び仕切部３３を全て一体成形することによりキャップ部３０を形成してもよい。
【００２１】
前記キャップ部３０の材料は、例えば、前記結合部３１としてプラスチックやゴム等の樹脂材料やコルク材料を円柱状に形成したものを使用したり、前記浮力部３２としてプラスチックやゴム等の樹脂材料や木質材料を所定形状に形成したものを使用したり、前記仕切部３３としてプラスチックやゴム等の樹脂材料や木質材料を所定形状に形成したものを使用したりすることができる。この場合、少なくとも結合部３１は、前記止着部４０の装着性の点から、全体が、若しくは、少なくとも滑止段部３１ａが所定の弾性を有するよう、例えば、コルク材料、ゴム材料、軟質プラスチック材料等の弾性材料により形成することが好ましい。また、少なくとも浮力部３２は、所定の浮力を有する浮力構造となるよう、中空構造としたり、その材料を水より十分比重の小さい材料としたりする。なお、キャップ部３０は、前記仕切部３３を省略して、結合部３１と浮力部３２のみから構成することも可能である。
【００２２】
ここで、前記キャップ部３０の結合部３１は、ウイスキーボトルやワインボトル等のボトルの口部の内径と同一の外径を有する円筒状または円柱状とし、前記ボトルの口部に挿入して保持自在なよう構成することも可能である。この場合、キャップ部３０を通常のウイスキーボトルやワインボトル等のボトル用のボトルキャップとしても兼用することができる。
【００２３】
図４に示すように、止着部４０は、前記キャップ部３０の結合部３１の外周に装着自在なリング状の弾性体からなり、内周側をキャップ部３０の結合部３１の外周面に弾性的に密着してキャップ部３０の結合部３１の外周面を押圧自在である。具体的には、止着部４０は、全体をドーナツ形状または円環形状としている。また、止着部４０は、前記キャップ部３０の結合部３１の外径と略同一または若干小さい内径を有している。更に、止着部４０は、ゴム材料、エラストマ材料、弾性プラスチック材料等の弾性材料より形成され、半径方向に弾性変形自在である。即ち、止着部４０は、外力により、拡径する方向（直径を広げる方向）に弾性変形自在である。また、止着部４０は、周方向に所定間隔または一定間隔を置いて複数の可撓孔４１を形成している。各可撓孔４１は、止着部４０の軸方向に貫通すると共に、止着部４０の周方向に所定距離延び、止着部４０が半径方向に変形するのを促進すべく機能する。
【００２４】
ここで、止着部４０は、主に、収容袋２０をキャップ部３０の結合部３１に握持して連結または結合すると共に、収容袋２０の開口部２２から入浴剤１０としての果実の皮等が漏出するのを防止するためのものである。即ち、止着部４０が、収容袋２０の上端部（口絞り部２３より下側の部分）をキャップ部３０の結合部３１の外周面に弾性的に密着して締め付けることにより、収容袋２０の上端部をキャップ部３０の結合部３１に締結するようになっている。なお、前記止着部４０は、上記のように収容袋２０をキャップ部３０の結合部３１に握持できる限りにおいて、その材料や前記可撓孔４１の数を考慮して、その半径方向への弾性変形力や弾性押圧力を設定する。特に、止着部４０は、前記キャップ部３０の浮力部３２により、入浴剤１０を収容した収容袋２０を浴槽の湯Ｗ中に浮かべたときに、前記入浴剤１０の重量により前記収容袋２０が前記キャップ部３０の結合部３１から脱落しないよう、その弾性的押圧力を設定することが好ましい。
【００２５】
使用方法並びに作用及び効果
次に、上記のように構成した入浴剤セットの使用方法並びに作用及び効果について説明する。
まず、実施の形態１に係る入浴剤セットを使用するには、まず、収容袋２０の開口部２２からその内部に入浴剤１０としての果実等を収容する。次に、入浴剤１０を収容した状態で、収容袋２０の開口部２２にキャップ部３０の結合部３１を挿入する。このとき、キャップ部３０の結合部３１の外周面において前記収容袋２０の上端部が存在する部位に、止着部４０をキャップ部３０の結合部３１に装着して保持する。これにより、止着部４０が収容袋２０の開口部分の端縁部を前記キャップ部３０の結合部３１の外周面に対して弾性的に押圧して、入浴剤１０を収容した収容袋２０をキャップ部３０に握持する。したがって、この状態で、図１に示すように、入浴剤セットを浴槽に張った湯Ｗ中に投下すると、浮力部３１の浮力により、キャップ部３０が湯面に浮上する。一方、収容袋２０及び収容袋２０内の入浴剤１０は、入浴剤１０の種類（比重）によって異なるが、入浴剤１０の比重は水または湯Ｗと大差ないため、通常、湯Ｗの中に浮遊するか、或いは、湯Ｗの中を徐々に沈下する。しかし、このとき、収容袋２０及び収容袋２０内の入浴剤１０は、キャップ部３０の結合部３１に止着部４０を介して結合されているため、結果的に、収容袋２０及び収容袋２０内の入浴剤１０は、キャップ部３０の浮力部３２の浮力により結合部３１に保持されて湯Ｗの中の沈下を防止される。その結果、収容袋２０及び収容袋２０内の入浴剤１０は、湯Ｗの中を収容袋２０の長さ（高さ）分だけ沈下した後、キャップ部３０の浮力部３２に支持されて、略所定位置を保持する。
【００２６】
使用者は、このように湯Ｗの中を略所定位置で浮遊する入浴剤１０を、収容袋２０を介して手により所定時間、例えば、５分〜１０分間、揉み解す。すると、入浴剤１０のエキス分が、収容袋２０を介して湯Ｗの中に進出する。なお、入浴剤１０を柑橘類等の果実とした場合、約２０分程度で果実の外果皮を潰すまで揉み解すことができ、果実内部の中果皮や内果皮や果肉等のエキス分を抽出することもできる。これにより、入浴剤１０の種類に応じたエキス分による特有の薬効、香り、色等を浴槽の湯Ｗに付与することができ、使用者は、入浴剤１０によるリラックス効果や癒し効果、視覚的効果、薬効等を享受することができる。例えば、蜜柑の皮は、ビタミン、ポリフェノール、リモネン等、薬剤でも使用される成分を含有している。例えば、蜜柑の皮に含有されるノミリンには殺菌効果があるとされ、シトラールには血行をよくする効果があるとされている。また、例えば、レモンは、壊血病に効果の有る成分を含有するとされている。更に、入浴剤１０を果実とした場合、果実の果汁を搾り出して使用者の肌に塗り、その薬効等を享受することもできる。このように、実施の形態１に係る入浴剤セットは、入浴剤を使用して古来からの入浴の楽しみを各種享受することができる。また、実施の形態１に係る入浴剤セットは、入浴剤１０を保持する構造として、上記構成の収容袋２０、キャップ部３０及び止着部４０のみでよく、かつ、リング状という極めて簡単な構造の止着部２０により、同じく円筒状または円柱状という極めて簡単な構造のキャップ部３０の結合部３１に対して、入浴剤１０を収容した収容袋２０を簡単かつ迅速に取付けることができる。その結果、実施の形態１に係る入浴剤セットは、全体の構造を簡素化して製造コストを低減することができる。また、実施の形態１に係る入浴剤セットは、収納袋２０のキャップ部３０への取付作業を迅速かつ簡単に行うことができる。
【００２７】
更に、実施の形態１に係る入浴剤セットは、その構造上、使用者の嗜好や使用環境乃至使用状況等に応じて意匠を簡単に変更することができ、各種の意匠的効果を選択的に発揮させることができる。即ち、実施の形態１に係る入浴剤セットは、キャップ部３０の浮力部３２の形状やデザインを使用者の嗜好や使用環境乃至使用状況等に応じて変更するだけで、意匠的効果の異なるキャップ部３０を多種類用意することがことができる。一方、入浴剤セットにおいて、湯面上または水面上に浮かんで使用者に視認され、視覚的効果を主に発揮するのはキャップ部３０の浮力部３２である。よって、実施の形態１に係る入浴剤セットは、例えば、海の好きな使用者の場合、キャップ部３０の浮力部３２を、ヨット等、海を連想させるものとしたり、動物やペットの好きな使用者の場合、キャップ部３０の浮力部３２を、犬や猫等、ペットを連想させるものとしたりすることで、使用者の嗜好に合致した意匠的効果を発揮することができる。同様に、実施の形態１に係る入浴剤セットは、例えば、高級ホテルのバスルームで使用する場合、キャップ部３０の浮力部３２を、クリスタルガラス等の高級感のある素材やデザインとすることで、使用環境や使用状況に合致した意匠的効果を発揮することができる。或いは、実施の形態１に係る入浴剤セットは、例えば、ホテルのバスルームで使用する場合、キャップ部３０の浮力部３２を、そのホテルのロゴマークや宿泊費付け等を入れた形状やデザインとすることで、使用環境や使用状況に合致した意匠的効果を発揮することができる。この場合、かかるキャップ部３０を宿泊者への記念用または贈呈用のノベルティグッズとして使用することもできる。
【００２８】
実施の形態２
図５は本発明の実施の形態２に係る入浴剤セットのキャップ部を示す正面図である。
実施の形態２に係る入浴剤セットは、キャップ部の構成において実施の形態１に係る入浴剤セットと異なり、その他の構成は実施の形態１に係る入浴剤セットと同様である。具体的には、実施の形態２では、キャップ部１３０は、結合部３１と浮力部１３２と仕切部３３とを有する。結合部３１及び仕切部３３は、実施の形態１のものと同様である。一方、浮力部１３２は、図５に示すように、イルカの外観形状を有している。実施の形態２に係るキャップ部１３０は、実施の形態１に係るキャップ部３０と同様の材料により、同様の方法で形成することができる。また、浮力部１３２は、結合部３１の上端に一体的に設けられると共に浮力構造を有する。浮力部１３２は、例えば、浮力部３２を中空構造として内部に所定容積の密閉空間を形成したり、浮力部１３２を水より比重の小さい材料により形成したりすることで、浮力構造とすることができる。
【００２９】
実施の形態２に係る入浴剤セットは、実施の形態１に係る入浴剤セットと同様にして使用することができ、同様の作用及び効果を発揮することができる。
【００３０】
実施の形態３
図６は本発明の実施の形態３に係る入浴剤セットのキャップ部を示す正面図である。
実施の形態３に係る入浴剤セットは、キャップ部の構成において実施の形態１に係る入浴剤セットと異なり、その他の構成は実施の形態１に係る入浴剤セットと同様である。具体的には、実施の形態３では、キャップ部２３０は、結合部３１と浮力部２３２と仕切部３３とを有する。結合部３１及び仕切部３３は、実施の形態１のものと同様である。一方、浮力部２３２は、図６に示すように、上下に略偏平とした球状の外観形状を有している。詳細には、浮力部２３２は、結合部３１の上端に一体的に設けられると共に、中空構造とされて浮力構造とされている。また、浮力部２３２の上端には開口（図示略）が形成され、その開口に栓部２３５が螺合して着脱自在に取付けられる。栓部２３５の上端には発光部２３６が一体的に設けられる。発光部２３６は、透光性材料により中空に形成されている。発光部２３６の内部空間には、電球やＬＥＤ（発光ダイオード）等の発光手段（図示略）が収容されて定位置に配置されている。一方、浮力部２３２の内部空間には、前記発光手段に電力を供給する電源、前記発光手段を発光制御する発光制御回路等が収容されて定位置に配置されている。実施の形態３に係るキャップ部２３０は、実施の形態１に係るキャップ部３０と同様の材料により、同様の方法で形成することができる。
【００３１】
実施の形態３に係る入浴剤セットは、実施の形態１に係る入浴剤セットと同様にして使用することができ、同様の作用及び効果を発揮することができる。更に、実施の形態３に係る入浴剤セットは、浴槽の湯中に浮かべたときに、キャップ部２３０の発光部２３６内で発光手段をオンして発光させることにより、発光手段からの光が発光部２３６を透過し、その発光色や発光態様が外部から視認される。よって、実施の形態３に係る入浴剤セットは、例えば、有名ホテルの高層階のミディアムスイート等、窓を通して下界を眺望できる浴室で、夜景に向かって入浴する際に使用すると、浴槽の湯中に浮かぶキャップ部２３０が発光して、独特のイルミネーション効果を発揮することができる。また、実施の形態３に係る入浴剤セットは、浴室の照明を消した状態で使用すると、浴槽の湯Ｗの上を浮遊するキャップ部２３０により、浴槽中のほのかな照明を行うこともでき、一層独特なイルミネーション効果を発揮することができる。
【００３２】
このとき、発光手段の発光色や発光部２３６の材料を適宜選択したり、発光制御回路による発光手段の発光態様を連続点灯や点滅等の間で適宜選択したりすることにより、状況に応じて発光部２３６を透過する光の色（透光色）を自在に変更し、最も効果的なイルミネーションを行うことができる。加えて、キャップ部２３０の浮力部２３２、栓部２３５及び発光部２３６の少なくともいずれか１以上に蓄光剤や蛍光剤を含有することで、発光部２３６における発光手段の発光により、浮力部２３２、栓部２３５及び発光部２３６の少なくともいずれか１以上が蛍光発光し、更に独特のイルミネーション効果を発揮することができる。なお、キャップ部２３０以外にも、結合部３１、仕切部３３または収容袋２０に、蓄光剤や蛍光剤を含有することで、発光部２３６における発光手段の発光により、結合部３１、仕切部３３または収容袋２０が蛍光発光し、更に独特のイルミネーション効果を発揮することができる。
【００３３】
ところで、実施の形態３は、浮力部２３２自体を、透光材料からなる中空構造とすることで前記浮力構造を付与すると共に、前記浮力部２３２の中空構造の内部に発光手段を設けて発光自在とすることもできる。この場合、栓部２３５や発光部２３６を省略して構造を簡素化することができる。また、浮力部２３２の形状を種々に変更することにより、その外観による様々な意匠的効果に加え、浮力部２３２の発光時の様々なイルミネーション効果をも発揮することができる。なお、実施の形態１のヨット状の浮力部３２や、実施の形態２のいるか状の浮力部１３２を、透光材料からなる中空構造とすることで前記浮力構造を付与すると共に、前記浮力部３２，１３２の中空構造の内部に発光手段を設けて発光自在とすることもできる。
【００３４】
或いは、実施の形態３は、前記浮力部２３２を、水よりも比重の小さい樹脂材料から形成することで前記浮力構造を付与すると共に、前記樹脂材料に蓄光材料を含有し、光を蓄積して蛍光発光自在とすることもできる。この場合、浮力部２３２は、中空構造とする必要はない。こうすると、中実状の浮力部２３２が、奥深くから発光するような独特のイルミネーション効果を発揮することができる。また、浮力部２３２に光拡散剤を混入したり、浮力部２３２の表面をしぼ加工等することにより光拡散面としたりして、浮力部２３２内部の発行手段からの発光を拡散して、浮力部２３２の内部及び表面全体が均一に発光するような独特のイルミネーション効果を発揮することができる。
【００３５】
実施の形態４
図７は本発明の実施の形態４に係る入浴剤セットを浴槽の湯中に浮かべた状態を示す説明図である。図８は本発明の実施の形態４に係る入浴剤セットの収容袋を示す正面図である。図９は本発明の実施の形態４に係る入浴剤セットの浮力部を示す斜視図である。図１０は本発明の実施の形態４に係る入浴剤セットの浮力部を示す正面図である。
【００３６】
実施の形態４に係る入浴剤セットは、図７に示すように、入浴剤（図示略）と、収容袋３２０と、止着部３３０と、浮力部３４０とを備え、入浴剤を浴槽の湯Ｗ中に浮かべた状態で使用するものである。入浴剤は、果実、果皮、薬草、ハーブ等の天然植物材料からなる。実施の形態４に係る入浴剤セットは、入浴剤として、レモン等の比較的小さな柑橘類等の果実や薬効植物等を丸ごと使用したり、柑橘類等の果実の皮を破断または切断した小片状のものを多数使用したり、薬効植物等を使用したりする。入浴剤としては、実施の形態１と同様の入浴剤１０を使用することができる。即ち、実施の形態４に係る入浴剤セットは、収容袋３２０として、実施の形態１の収容袋２０より小型のものを使用している。詳細には、収容袋３２０は、入浴剤を収容し、かつ、入浴剤からの抽出液の外部への進出を自在とすると共に、入浴剤の固形分の漏出を防止自在なシート材料からなり、上端を開口したネット状またはメッシュ状の袋状をなす。具体的には、収容袋３２０は、上端を開口した略長方形袋状をなし、例えば、縦（高さ）１０ｃｍ、横（幅）９ｃｍの四角袋状に形成される。かかる収容袋３２０としては、実施の形態１と同様の素材を織加工したもの、または、不織布としたものを使用することができる。
【００３７】
収容袋３２０は、図８に示すように、ダシ袋状をなす。詳細には、収容袋３２０は、下端を閉塞端３２１とし、上端を開口部３２２とすると共に、左右両端縁部を溶着または接着等して閉塞してシール部３２３としている。また、収容袋３２０の正面側（図８の紙面方向手前側）の上端部（開口部３２２の直下部分）には、開口部３２２に沿って左右に延びる帯状の折り返し部３２４が一体的に設けられ、折り返し部３２４を収容袋３２０の背面側に折り返すことにより、折り返し部３２４の上端部により開口部３２２を閉塞できるようになっている。
【００３８】
止着部３３０は、収容袋３２０の開口部分の端縁部を挟持自在なクリップ状をなす。詳細には、止着部３３０は、図９及び図１０に示すように、ブロック状の掛止部３３１の内端面に略四角形状の掛止凹部３３２を形成している。また、掛止部３３１の内端面には、前記掛止凹部３３２と干渉しない位置に、略湾曲帯板形状の弾性部３３３の長さ方向一端が固着されて一体形成されている。弾性部３３３には、その長さ方向に沿って長溝状の保持溝３３４が形成されている。更に、弾性部３３３の長さ方向他端には、略平板帯板形状の折曲部３３５の長さ方向一端が折り曲げ（傾動）自在に固着されている。また、折曲部３３５の長さ方向他端には、前記掛止部３３１の掛止凹部３３２に掛止保持自在な掛止突部３３６が一体形成されている。更に、折曲部３３５の内側面（弾性部３３３と対向する側面）には、前記保持溝３３４の外形（輪郭形状）に対応する外形（輪郭形状）の長尺突起状をなす保持突部３３７が一体形成されている。そして、折曲部３３５を折り曲げて弾性部３３３に近接させ、掛止突部３３６を掛止部３３１の掛止凹部３３２に弾性的に挿入して掛止保持することができるようになっている。更に、このとき、折曲部３３５の保持突部３３７は、その幅方向両側面が弾性部３３３の保持溝３３４の幅方向内側面に略密接した状態で、保持溝３３４内に収容されるようになっている。
【００３９】
浮力部３４０は、浮力構造を有すると共に温度計を一体的に設けたものである。即ち、図７に示すように、浮力部３４０は、浮力構造を有する本体３４１と、本体３４１の正面に設けた温度計部３４２とを有する。本体３４１は、例えば、ラッコ、イルカ等、意味を連想させるものの形状とすることができる。浮力部３４０は、長尺状の連結具３５０により止着部３３０に連結される。連結具３５０は、例えば、長さ方向一端を浮力部３４０の下端に固着し、長さ方向他端部を止着部３３０の掛止部に装着自在なひも状の部材により構成することができる。或いは、連結具３５０の長さ方向他端にフックを設け、そのフックにより止着部３３０をワンタッチで掛止保持するよう構成することもできる。
【００４０】
ここで、止着部３３０は、主に、収容袋３２０の上端部を握持すると共に、収容袋３２０の開口部３２２から入浴剤としての果実の皮等が漏出するのを防止するためのものである。即ち、止着部３３０が、収容袋３２０の上端部（折り返した状態の折り返し部３２４の部分）を、弾性部３３３の保持溝３３４と保持突部３３７との間で弾性的に密着して締め付けることにより、収容袋３２０の上端部を締結保持するようになっている。なお、前記止着部３３０は、上記のように収容袋３２０を握持できる限りにおいて、その材料や前記浮力部３４０の浮力等を考慮して、そのグリップ力を設定する。特に、止着部３３０は、浮力部３４０により、入浴剤を収容した収容袋３２０を浴槽の湯Ｗ中に浮かべたときに、前記入浴剤の重量により前記収容袋３２０が止着部３３０から脱落しないよう、そのグリップ力を設定することが好ましい。
【００４１】
使用方法並びに作用及び効果
次に、上記のように構成した入浴剤セットの使用方法並びに作用及び効果について説明する。
まず、実施の形態４に係る入浴剤セットを使用するには、まず、収容袋３２０の開口部３２２からその内部に入浴剤としての果実等を収容する。次に、入浴剤を収容した状態で、収容袋３２０の折り返し部３２４を背面側に折り返して開口部３２２を折り返し部３２４により閉塞する。そして、止着部３３０の弾性部３３に向かって折曲部３３５を折り畳み、保持溝３３４と保持突部３３７との間で収容袋３２０の上端部を握持して保持する。また、掛止部３３１の掛止凹部３３２に折曲部３３５の掛止突部３３６を装着して、弾性部３３３に対する折曲部３３５の折り畳み状態を維持する。これにより、止着部３３０が、入浴剤１０を収容した収容袋３２０を握持して保持する。その後、連結具３５０を介して浮力部３４０を止着部３３０に連結する。そして、この状態で、図７に示すように、入浴剤セットを浴槽に張った湯Ｗ中に投下すると、浮力部３４０が、その浮力により湯面に浮上する。一方、収容袋３２０及び収容袋３２０内の入浴剤は、実施の形態１で述べたように、通常、湯Ｗの中に浮遊するか、或いは、湯Ｗの中を徐々に沈下する。しかし、このとき、収容袋３２０及び収容袋３２０内の入浴剤は、止着部３３０及び連結具３５０を介して浮力部３４０に結合されているため、結果的に、収容袋３２０及び収容袋３２０内の入浴剤は、浮力部３４０の浮力により止着部３３０に保持されて湯Ｗの中の沈下を防止される。その結果、収容袋３２０及び収容袋３２０内の入浴剤は、湯Ｗの中を連結具３５０及び収容袋３２０の長さ（高さ）分だけ沈下した後、浮力部３４０に支持されて、略所定位置を保持する。
【００４２】
使用者は、このように湯Ｗの中を略所定位置で浮遊する入浴剤を、実施の形態１と同様に、収容袋３２０を介して手により所定時間揉み解し、入浴剤のエキス分を湯Ｗの中に進出させる。これにより、実施の形態１と同様、入浴剤の種類に応じたエキス分による特有の薬効、香り、色等を浴槽の湯Ｗに付与することができ、使用者は、入浴剤によるリラックス効果や癒し効果、視覚的効果、薬効等を享受することができる。このように、実施の形態４に係る入浴剤セットは、入浴剤を使用して古来からの入浴の楽しみを各種享受することができる。また、実施の形態３に係る入浴剤セットは、入浴剤を保持する構造として、上記構成の収容袋３２０、止着部３３０、浮力部３４０及び連結具３５０のみでよく、かつ、クリップ状という極めて簡単な構造の止着部３３０により、入浴剤を収容した収容袋３２０を簡単かつ迅速に握持することができる。その結果、実施の形態４に係る入浴剤セットは、全体の構造を簡素化して製造コストを低減することができる。また、実施の形態４に係る入浴剤セットは、収納袋３２０の止着部３３０への取付作業を迅速かつ簡単に行うことができる。
【００４３】
更に、実施の形態４に係る入浴剤セットは、実施の形態１と同様、その構造上、使用者の嗜好や使用環境乃至使用状況等に応じて意匠を簡単に変更することができ、各種の意匠的効果を選択的に発揮させることができる。即ち、実施の形態４に係る入浴剤セットは、止着部３３０の形状やデザインまたは浮力部３４０の形状やデザインを使用者の嗜好や使用環境乃至使用状況等に応じて変更するだけで、意匠的効果の異なる止着部３３０や浮力部３４０を多種類用意することがことができる。更に、入浴剤セットにおいて、湯面上または水面上に浮かんで使用者に視認され、視覚的効果を主に発揮するのは浮力部３４０である。よって、実施の形態４に係る入浴剤セットは、実施の形態１と同様、浮力部３４０を種々の意匠とすることで、使用者の嗜好に合致した意匠的効果を発揮したり、使用環境や使用状況に合致した意匠的効果を発揮することができる。
【００４４】
実施の形態５
図１１は本発明の実施の形態５に係る入浴剤セットを浴槽の湯中に浮かべた状態を示す説明図である。
実施の形態５に係る入浴剤セットは、浮力部の構成において実施の形態４に係る入浴剤セットと異なり、その他の構成は実施の形態４に係る入浴剤セットと同様である。具体的には、実施の形態５では、浮力部４４０は、アヒルの外観形状を有している。浮力部４４０は、図１１に示すように、浮力構造を有する一方、実施の形態４のように温度計を一体的に設けてはいない。浮力部４４０は、実施の形態４と同様、連結具３５０により止着部３３０に連結される。連結具３５０は、例えば、長さ方向一端を浮力部４４０の下面の所定位置に固着する。
【００４５】
実施の形態６
上記各実施の形態は、例えば、キャップ部３０、止着部４０、止着部３３０、浮力部３４０等を、水温（湯温）で色が変化する感温性樹脂材料により形成することもできる。例えば、湯Ｗの適温（例えば摂氏４０度）で温度が白等の色から青等の色に変化するよう、その感温性樹脂材料を選択することもできる。
【００４６】
流通方法
上記各実施の形態に係る入浴剤セットは、以下のような方法によ市場に流通させることができる。まず、上記各実施の形態に係る入浴剤セットは、通信販売により各地に流通させることができる。このとき、入浴剤としての果実等を、１月〜１２月の１年間セットで販売するようにする。或いは、１ヶ月、３ヶ月、６ヶ月等の他の期間単位のセットとして販売しても良い。また、購入前に一定の試用期間を設定してもよい。そして、季節に応じた入浴剤を購入者（使用者）に発送センターから発送する。例えば、１月は柚子、レモン（ハワイ）、２月は八朔（愛媛、和歌山）、３月はポンカン（愛媛）、４月は夏みかん（宮崎）、５月は菖蒲や文旦（ザボンの別名）、６月はデコポン（熊本）、７月は柚子（物部産）、８月は金柑、９月は伊予柑（愛媛）、１０月はにんにく（青森田子町）、１１月はしょうが、１２月は薬草とすることができる。なお、５月、６月はどくだみとしても良い。この場合、細かい目のフィルター（ネット）から収容袋２０，３２０を形成することが好ましい。更に、岩塩とハープとを付加して販売しても良い。
【００４７】
或いは、上記各実施の形態に係る入浴剤セットは、デパートやスーパーマーケット等で、ギフト用品、中元用品、歳暮用品等の目玉商品として販売することもできる。更に、母の日、父の日等の記念日（セレモニー）用のギフト商品として販売することもできる。或いは、上記各実施の形態に係る入浴剤セットは、各地の温泉、旅館、ホテルの名店、果樹産地の販売店等で販売することもできる。
【００４８】
或いは、上記各実施の形態に係る入浴剤セットは、有名ホテルのスイートルームのゲストやハネムーナ用のノベルティとして部屋に備え付けることもできる。この場合、キャップ部３０等にホテルのロゴマークや宿泊日付等を刻印等により入れて記念品として配布することもできる。また、洋酒等のボトルキャップとしてゲスト等に進呈することもできる。
【００４９】
或いは、上記各実施の形態に係る入浴剤セットは、ホテルの宿泊メニューの一つとしての食事プラン、部屋プラン、宿泊プラン、エステプラン等のメニューと同様に、ホテルの宿泊メニューとして選択できるようにすることも可能である。或いは、上記各実施の形態に係る入浴剤セットは、会社の設立記念日等の記念日に、その会社のマークや日付等を入れてノベルティグッズ（景品広告、実用品広告）として配布することもできる。この場合、上記のような各種の効果を発揮する入浴剤セットにより、送り主の人格や感性を送り先の人に効果的に伝えることができる。
【００５０】
広告宣伝方法
上記各実施の形態に係る入浴剤セットは、以下のような方法により広告宣伝し、そのイメージアップを図ることができる。例えば、ハワイ等のイメージアップに好適な地域から上記各実施の形態に係る入浴剤セットの販売を開始する。この場合、入浴剤としてハワイ島のオレンジやハワイのレモン農家によるレモン等を使用する。そして、上記各実施の形態に係る入浴剤セットをハワイ島の海外から日本の顧客（購入者）に発送する。こうすると、燦燦と輝くハワイの太陽と清々しい風を送り届けるというイメージを顧客に与えて、商品のイメージアップを効果的に達成することができる。なお、このとき、産地表示（ハワイレモン等）、成分表示、有機栽培表示等を付すことにより、更なるイメージアップ効果を量ることもできる。
【００５１】
或いは、上記各実施の形態に係る入浴剤セットは、ハネムーナ（新婚旅行者）等が新婚旅行の帰りの飛行機便等で、購入商品（土産）として受取るようなシステムで販売することも可能である。或いは、上記各実施の形態に係る入浴剤セットは、旅行会社、航空会社等の販売商品カタログに掲載し、ハワイ線やロスアンジェルス（ＬＡ）線、若しくは、各種国内線で販売することも可能である。
【００５２】
或いは、上記各実施の形態に係る入浴剤セットは、海外の日本料理店やすし屋等で販売したり広告宣伝したりすることにより、日本の伝統文化としての風呂文化を海外に伝えるという効果を期待することもできる。或いは、上記各実施の形態に係る入浴剤セットは、海外の有名店等から逆輸入により購入するような販売システムを採用することもできる。いずれの場合も、上記各実施の形態に係る入浴剤セットが、海外旅行者の間にて口コミで広がるという効果を期待することができる。
【００５３】
或いは、上記各実施の形態に係る入浴剤セットは、東京の銀座や麻布等のトレンディーな地域で、入浴剤専門の専門ショップやアンテナショップを開いて流通させることもできる。この場合、ハーブや薬草等の入浴剤を計り売りで販売したり、または、海外からの直送便の受け付けを行ったりすることもできる。そして、かかる専門ショップやアンテナショップに続く２号店を、ニューヨーク、カナダ、ニュージーランド、上海等、海外のトレンディーな地域で開くことにより、相乗効果を期待することもできる。
【００５４】
或いは、上記各実施の形態に係る入浴剤セットは、各種メディア（ユニーク商品を扱うテレビ番組、健康雑誌、女性誌のエステ特集等）で取り上げてもらうことにより広告宣伝を行なうこともできる。或いは、上記各実施の形態に係る入浴剤セットは、インターネットを利用して広告宣伝を行ったりすることもできる。例えば、上記各実施の形態に係る入浴剤セットは、ギフトサイトリンクでのギフトとして提示することにより広告宣伝効果を期待することもできる。或いは、上記各実施の形態に係る入浴剤セットは、風呂関係、健康関係、果物関係のサイトとリンクすることにより業務提携を行ったり、インターネット上のショッピングモールで販売したりすることもできる。
【００５５】
或いは、上記各実施の形態に係る入浴剤セットは、テレビショッピングや健康食品番組等のテレビ媒体を利用して、広告宣伝を行うこともできる。或いは、上記各実施の形態に係る入浴剤セットは、キャップ部３０等をオリジナルデザインで受注したり、販売店でオーダー可能としたりすることもできる。或いは、上記各実施の形態に係る入浴剤セットは、入浴剤としての果実をばら売りしたり、パック売りしたりすることも可能である。
【００５６】
果実の生産・発送システム
上記各実施の形態に係る入浴剤セットは、その生産・発送システムとして、無農薬農家や有機農家と提携することにより、皮の厚い果実を選択したり、ハーブ輸入会社とタイアップしたり、海外果実生産販売社とタイアップしたりすることにより、所定の入浴剤を安価かつ安定的に生産及び供給するシステムを採用することできる。また、上記各実施の形態に係る入浴剤セットは、その生産・発送システムとして、提携農家等から注文者（顧客）に対して、初回は、収容袋２０、キャップ部３０、止着部４０のセットを契約期間の月数分発送すると共に、初回の入浴剤（果実）を複数個と、使用説明書とを合わせて発送するシステムとすることができる。例えば、１月分の場合、収容袋２０を３０枚、キャップ部３０を１個、止着部４０を１個としてセット化することができる。また、入浴剤については、例えば、柚子、八朔、レモンの詰め合わせを、１か月分３０個（柚子１０個、八朔１０個、レモン１０個）の詰め合わせとして発送することもできる。また、蜜柑セットとして、八朔、レモン、文旦の３種類の果実をセットで発送することもできる。なお、この場合、２回目以降は、入浴剤（果実）のみ発送するようにすることができる。或いは、同時に、炭を所定セット（例えば３セット）発送したり、使用説明書と共に効果的な入浴方法を教授するビデオ（ダイエット編、花粉対策編、癒し編）を発送したりすることもできる。この場合、ハーブ６種類プラス（ペパーミント、ユーカリ、ラベンダー、ローズ、ローマンカモミール等）からなるハーブアロマセットを、花粉対策編のビデオと共に発送することもできる。
【００５７】
また、上記各実施の形態に係る入浴剤セットは、メモリーカード（記録用カード）、禁煙カード等を同時に発送することもできる。この場合、使用者が一日何分風呂に入れたかをカードに記録するようにする。例えば、カードに、第１週、第２週、第３週、第４週等、１週間毎の記録欄を設け、入浴剤セットにより入浴の楽しさを倍増させ、入浴時間の延長による各種効果を期待することもできる。
【００５８】
果実選択方法
上記各実施の形態に係る入浴剤セットは、入浴剤としての果実として、天然の果実や、有機農法または有機栽培による果実や、無農薬栽培による果実を採用することが好ましい。この場合、着色料、保存料（パラペン等）、化学薬品等は使用しない。また、この場合、果実としては三等品を使用することができる。こうすると、その果実は、硬度、色、味、形等において一等品や二等品より劣るものの、コストを大幅に低減することができる。なお、この場合も、果実は、入浴剤として使用する分には全く問題がないと考えられる。
【００５９】
その他の使用方法
上記各実施の形態に係る入浴剤セットは、入浴剤以外に用途に使用することもできる。例えば、入浴剤としての柑橘類は、香りのジャンルの商品であり、フレーバー商品である。よって、入浴剤としての柑橘類を、車中で使い捨て芳香剤として使用することもできる。この場合、入浴剤として使用した後の柑橘類を、リサイクルして使用することもできる。例えば、自動車のダッシュボードの吹き出し口に、皮をチップ状とした柑橘類を収容した収容袋２０等の容器を装着し、ダッシュボードからの空気の吹き出しと共に、車のキャビン内に良好な芳香を拡散することができる。即ち、上記各実施の形態に係る入浴剤セットは、入浴剤セットの他に、車用芳香剤としても利用することができる。
【００６０】
また、上記各実施の形態に係る入浴剤セットの入浴剤としての果実等は、入浴剤以外にも、通常の食用として使用することができる。例えば、果実の中身の果肉を食用として使用することもできる。また、果皮は、チップ化して、匂いを閉じ込めてパウチ化し、芳香剤として使用することもできる。この場合、使用時に、パウチ化した果皮を専用容器（収容袋２０等）に入れ、風呂の入浴剤として使用したり、車の芳香剤として使用したりすることができる。こうすると、芳香剤として本物の果皮を使用するため、癒し効果が高く、健康志向の顧客（使用者）に対するアピール効果が高くなる。
【００６１】
別例
本発明に係る入浴剤セットは、バスボトルセットとして具体化することもできる。例えば、ハーブ、薬草、檜のチップ、湯の花、炭、岩塩等の各アイテムを詰め合わせてセット化することもできる。また、本発明に係る入浴剤セットは、キャップ部３０を特定目的のアイテムとして使用し、その際、キャップ部３０に具体化するキャラクターを多数種類用意することができる。例えば、海シリーズとして、ヨット、イルカ、ラッコ、亀、海鳥等を模したキャップ部を用意したり、動物シリーズとして、犬、猫、小鳥等を模したキャップ部を用意したり、その他、花（ブーゲンビリア）、クリスタルガラス、デジタル時計付き温度計等にキャップ部３０や浮力部３４０を具体化したりすることもできる。
【００６２】
【発明の効果】
請求項１〜３に係る入浴剤セットは、それぞれ上記のように構成したため、いずれも、全体の構造を簡素化して製造コストを低減することができると共に、収納袋の取付作業を迅速かつ簡単に行うことができ、更に、その構造上、使用者の嗜好や使用環境乃至使用状況等に応じて意匠を簡単に変更することができ、各種の意匠的効果を選択的に発揮させることができる。
【００６３】
請求項４に係る入浴剤セットは、上記のように構成したため、請求項１乃至３のいずれかの効果に加え、キャップ部を通常のボトルキャップとして兼用できるという効果を発揮する。
【００６４】
請求項５または請求項６に係る入浴剤セットは、それぞれ上記のように構成したため、いずれも、全体の構造を簡素化して製造コストを低減することができると共に、収納袋の取付作業を迅速かつ簡単に行うことができ、更に、その構造上、使用者の嗜好や使用環境乃至使用状況等に応じて意匠を簡単に変更することができ、各種の意匠的効果を選択的に発揮させることができる。
【００６５】
請求項７に係る入浴剤セットは、上記のように構成したため、請求項１乃至５のいずれかの効果に加え、発光手段による独特のイルミネーション効果を発揮することができる。
【００６６】
請求項８に係る入浴剤セットは、上記のように構成したため、請求項１乃至５のいずれかの効果に加え、蓄光材料による独特のイルミネーション効果を発揮することができる。
【００６７】
請求項９に係る入浴剤セットは、上記のように構成したため、請求項１乃至５のいずれかの効果に加え、感温性樹脂材料からなる浮力部が所定温度で変色し、独特のイルミネーション効果を発揮することができる。
【図面の簡単な説明】
【図１】図１は本発明の実施の形態１に係る入浴剤セットを浴槽の湯中に浮かべた状態を示す説明図である。
【図２】図２は本発明の実施の形態１に係る入浴剤セットの収容袋を示す正面図である。
【図３】図３は本発明の実施の形態１に係る入浴剤セットのキャップ部を示す正面図である。
【図４】図４は本発明の実施の形態１に係る入浴剤セットの止着部を示す正面図である。
【図５】図５は本発明の実施の形態２に係る入浴剤セットのキャップ部を示す正面図である。
【図６】図６は本発明の実施の形態３に係る入浴剤セットのキャップ部を示す正面図である。
【図７】図７は本発明の実施の形態４に係る入浴剤セットを浴槽の湯中に浮かべた状態を示す説明図である。
【図８】図８は本発明の実施の形態４に係る入浴剤セットの収容袋を示す正面図である。
【図９】図９は本発明の実施の形態４に係る入浴剤セットの浮力部を示す斜視図である。
【図１０】図１０は本発明の実施の形態４に係る入浴剤セットの浮力部を示す正面図である。
【図１１】図１１は本発明の実施の形態５に係る入浴剤セットを浴槽の湯中に浮かべた状態を示す説明図である。
【符号の説明】
１０：入浴剤、２０：収容袋、３０：キャップ部
３１：結合部、３２：浮力部、４０：止着部
１３０：キャップ部、２３０：キャップ部
３２０：収容袋、３３０：止着部、３４０：浮力部、３５０：連結具
【図１】
2004337315.tif 000003
【図２】
2004337315.tif 000004
【図３】
2004337315.tif 000005
【図４】
2004337315.tif 000006
【図５】
2004337315.tif 000007
【図６】
2004337315.tif 000008
【図７】
2004337315.tif 000009
【図８】
2004337315.tif 000010
【図９】
2004337315.tif 000011
【図１０】
2004337315.tif 000012
【図１１】
2004337315.tif 000013